(57)【要約】【課題】周壁を壊したり、家財道具を動かすような生活環境の変化を必要とすることなく、外部工事と天井裏や床下工事だけで木造家屋の耐震性を根本的に向上させることができ、しかも短期間でコスト的にも安価に施工できる木造家屋の耐震補強工法を提供する。【解決手段】木造家屋Ａの外壁１の周囲における、四隅の隅柱２の各コーナ部分の外面にコーナ保護材を沿わせた後、その外側にコンクリート基礎１６から天井梁もしくは上階床梁を越える長さのアングル材１２を、隅柱２の補強材として取り付け、外壁１の周囲に長いフラトバー４を外壁１の天井裏の位置と床下の位置とに水平に巻き付け、このフラトバー４にターンバックル機構５による緊張力を導入することにより、外壁１の上下複数段の位置を周囲から締め付けて水平に巻き締めることにより、新旧の家屋を問わず、木造家屋Ａの耐震性を向上させる。【選択図】  図３
2004239038.tif 000002
【特許請求の範囲】
【請求項１】
中古木造家屋の外壁を上下の位置においてフラットバーで巻き締める耐震補強工法であって、木造家屋の外壁部周囲における、隅柱の各コーナ部分の外壁にコーナ保護材を沿わせた後、その外側にコンクリート基礎から天井梁もしくは上階床梁を越える長さのアングル材を、隅柱の補強材として取り付け、外壁部周囲に長いフラトバーを締め付け部材とし、外壁の天井裏の位置と床下の位置とに水平に巻き付け、この締め付け部材にナット式の引締具による緊張力を導入することにより、外壁部の上下複数段の位置を周囲から締め付けて水平に巻き締めることにより、木造家屋の耐震性を向上させることを特徴とする木造家屋の耐震補強工法。
【請求項２】
天井裏や床下内でフラトバーを横引きするため、前記隅柱の間に位置する中間柱の外面に、チャンネル等の補強材をコンクリート基礎から天井梁もしくは上階床梁を越えるように沿わせて取り付け、前記アングル材及びこの補強材の下部をコンクリート基礎に固定することによって柱の抜けを防ぎ、床下や天井裏の空間部分で対向位置にある中間柱間に配置したワイヤーロープや鉄筋からなる横引き材の端部を、それぞれ上記補強材の外面を交差して通る締め付け部材の該補強材との交差部分で結合し、この横引き材にターンバックルによる緊張力を導入すると共に、横引き材の途中が接する内柱と該横引き材をキャッチング金具で結合し、中間柱と内柱をつなぐことで揺れに対応する自立性を高めるようにしたことを特徴とする請求項１に記載の木造家屋の耐震補強工法。
【請求項３】
天井裏や床下内において、対角位置にある隅柱を互いに固定化するため、前記対角位置にある隅柱の相互間を、天井裏や床下の空間部分に配置したワイヤーロープや鉄筋で結合し、ワイヤーロープや鉄筋にターンバックルによる緊張力を導入することにより、隅柱の間に水平の筋交いを施し、この筋交いの交差部分をロックすることにより、木組みの横方向のねじれ現象を防ぐことを特徴とする請求項１又は２に記載の木造家屋の耐震補強工法。
【請求項４】
外部のフラトバーや補強材を筋交いで結合するため、前記隅柱に取り付けたアングル材と、中間柱の外面に取り付けた縦の補強材を筋交いで結合し、外壁部でありながら筋交いを随所に設けることにより、木組み全体を補強することを特徴とする請求項１乃至３の何れかに記載の木造家屋の耐震補強工法。
【請求項５】
外壁部の広い開放面にトラスを施すため、前記木造家屋の外壁部で、庭に面する広い開放面のある部分は、補強柱や上下のフラトバーにトラスを設けることにより、外壁木組部を補強することを特徴とする請求項１乃至４の何れかに記載の木造家屋の耐震補強工法。
【請求項６】
玄関や台所の出入口等でフラトバーを地面に沿わすため、玄関や台所の出入口等、その下縁が略地上高に等しい部分は、下段のフラトバーを玄関や台所の出入口の下縁に沿うようトラスで下側に屈曲させた請求項１乃至４の何れかに記載の木造家屋の耐震補強工法。
【請求項７】
中古木造家屋の外壁を上下の位置においてワイヤーロープで巻き締める耐震補強工法であって、ワイヤーロープを締め付け部材として使用し、隅柱の各コーナ部分の補強材にワイヤーロープの滑りをよくするワイヤーガイドを設け、外壁部周囲に巻き付けたこのワイヤーロープにターンバックルによる緊張力を導入すると共に、このワイヤーロープの途中を床下や天井裏の空間部分で対向位置にある中間柱間に配置したワイヤーロープや鉄筋からなる横引き材で緊張させることを特徴とする請求項１乃至５の何れかに記載の木造家屋の耐震補強工法。
【請求項８】
請求項１乃至７の何れかに記載の木造家屋の耐震補強工法において、新築木造家屋の施工に際し、木組が終われば、この木組に前記耐震補強工法を施し、その後、内装や外装を行うことを特徴とする新築木造家屋の耐震補強工法。
【請求項９】
傾斜家屋の修正を行うため、傾いた側の外部の対角にある隅柱の上部と他方対角隅柱の下部とをワイヤーロープや鉄筋でつなぎ、また、内部の天井裏や一階床との空間部分に通じた縦や斜めのワイヤーロープや鉄筋及び、隅柱上部と対角の床との間に斜め張りのワイヤーロープや鉄筋を張って緊張力を導入することにより、家屋の傾斜を直し、更に、天井裏の水平筋交いを緊張させることにより、三次元的な傾斜の修正を行うことを特徴とする木造家屋の傾斜修正工法。
【０００１】
【発明の詳細な説明】
【発明の属する技術分野】
この発明は、木造家屋に耐震性を導入するための耐震補強工法に関する。
【０００２】
【従来の技術】
一般的に木造家屋は、地中に構築した基礎上に土台を配置し、その上に柱を主体とする軸組構造を組み立て、柱間の中間や上端間に梁を設けて壁部を構築すると共に、柱間の上端に屋根組を設けた構造になっている。
【０００３】
このような木造家屋は、常時において、木組みにおける柱と梁などのつなぎが、埋め込みや楔、かすがい、火打ち、鉄金物による局部補強などで、揺れに対して相互に離れないように工夫されている。また、柱と梁などは、垂直荷重に対して柱が傾斜しないかぎり十分に対応している。
【０００４】
ところで、木造家屋の木組みは、双方の相対する柱や横梁や床張りにより、外部から内部への圧縮力に対する反力に強いが、内部から外部への膨張力には弱いため、地震による横揺れや上下の揺れを受けると、それぞれの木組の部材に家具等の重量が加わり、異なる固有慣性でバラバラに揺れ、柱と梁などの結合部が上下左右に抜けたり損傷し、加えて筋交いの不備や建物に散在している偏荷重などにより、柱に折れが生じ、また、柱が土台から抜けると建物の下部が足払いを食らい、特に、庭に面した広い開放面は筋交いを入れにくいため座屈しやすく、建物が倒壊に至ることになることは、先の阪神大震災による木造家屋の倒壊例からも明らかである。
【０００５】
従来、このような地震に対して極めて弱い構造である木造家屋の耐震性を向上させる改造方法は、木組みにおける柱と梁などのつなぎ部分を別途鉄金物などで局部的に補強したり、筋交いの数を増やすような周壁の改造や、室内壁部の増設や移設による内部工事によって行われている。
【０００６】
【発明が解決しようとする課題】
しかし、上記のような周壁の改造は、筋交い一本を増やすにしても壁を壊す必要があり、壊した壁を再修復して元通りにしなければならないし、新しく壁を増やすには間取りが変わり、何れにしても手間と時間がかかり実施は容易ではなく、新築の場合はともかくとして、既存の家屋に対する耐震性の向上には難がある。
【０００７】
また、内部工事による方法は、新たに壁を設けたり、間取りを変えるために家財道具を動かし、生活環境の変化をもたらすことになり、相当な決意と家族の同意を要し、加えて、工事期間の長期化と多額の費用を必要とするという問題がある。
【０００８】
そこで、この発明の課題は、周壁を壊したり、家財道具を動かすような生活環境の変化を必要とすることなく、外部工事と天井裏や床下などの工事だけで木造家屋の耐震性を根本的に向上させることができ、しかも短期間でコスト的にも安価に施工できる木造家屋の耐震補強工法と木造家屋の傾斜修正工法を提供することにある。
【０００９】
【課題を解決するための手段】
上記のような課題を解決するため、この発明は、中古木造家屋の外壁を上下の位置においてフラットバーで巻き締める耐震補強工法であって、木造家屋の外壁部周囲における、隅柱の各コーナ部分の外壁にコーナ保護材を沿わせた後、その外側にコンクリート基礎から天井梁もしくは上階床梁を越える長さのアングル材を、隅柱の補強材として取り付け、外壁部周囲に長いフラトバーを締め付け部材とし、外壁の天井裏の位置と床下の位置とに水平に巻き付け、この締め付け部材にナット式の引締具による緊張力を導入することにより、外壁部の上下複数段の位置を周囲から締め付けて水平に巻き締めることにより、木造家屋の耐震性を向上させる構成を採用したものである。
【００１０】
この発明において、天井裏や床下内でフラトバーを横引きするため、前記隅柱の間に位置する中間柱の外面に、チャンネル等の補強材をコンクリート基礎から天井梁もしくは上階床梁を越えるように沿わせて取り付け、前記アングル材及びこの補強材の下部をコンクリート基礎に固定することによって柱の抜けを防ぎ、床下や天井裏の空間部分で対向位置にある中間柱間に配置したワイヤーロープや鉄筋からなる横引き材の端部を、それぞれ上記補強材の外面を交差して通る締め付け部材の該補強材との交差部分で結合し、この横引き材にターンバックルによる緊張力を導入すると共に、横引き材の途中が接する内柱と該横引き材をキャッチング金具で結合し、中間柱と内柱をつなぐことで揺れに対応する自立性を高めるようにすることができる。
【００１１】
前記天井裏や床下内において、対角位置にある隅柱を互いに固定化するため、前記対角位置にある隅柱の相互間を、天井裏や床下の空間部分に配置した水平のワイヤーロープや鉄筋で結合し、ワイヤーロープや鉄筋にターンバックルによる緊張力を導入することにより、隅柱の間に水平の筋交いを施し、この筋交いの交差部分をロックすることにより、木組みの横方向のねじれ現象を防ぐようにすることができる。
【００１２】
また、外部のフラトバーや補強材を筋交いで結合するため、前記隅柱に取り付けたアングル材と、中間柱の外面に取り付けた縦の補強材を、鉄筋（丸鉄）やアングル、フラトバー等の筋交いで結合し、外壁部でありながら筋交いを随所に設けることにより、木組み全体を補強することができる。
【００１３】
さらに、外壁部の広い開放面にトラスを施すため、前記木造家屋の外壁部で、庭に面する広い開放面のある部分は、補強柱や上下のフラトバーにトラスを設けることにより、外壁木組部を補強することができる。
【００１４】
また、玄関や台所の出入口等でフラトバーを地面に沿わすため、玄関や台所の出入口等、その下縁が略地上高に等しい部分は、下段のフラトバーを玄関や台所の出入口の下縁に沿うようトラスで下側に屈曲させた構造を採用することができる。
【００１５】
また、中古木造家屋の外壁を上下の位置においてワイヤーロープで巻き締める耐震補強工法であって、ワイヤーロープを締め付け部材として使用し、隅柱の各コーナ部分の補強材にワイヤーロープの滑りをよくするワイヤーガイドを設け、外壁部周囲に巻き付けたワイヤーロープにターンバックルによる緊張力を導入すると共に、このワイヤーロープの途中を床下や天井裏の空間部分で対向位置にある中間柱間に配置したワイヤーロープや鉄筋からなる横引き材で緊張させるようにすることができる。
【００１６】
また、新築木造家屋の耐震補強のため、上記した各木造家屋の耐震補強工法において、新築木造家屋の施工に際し、木組が終われば、この木組に前記耐震補強工法を施し、その後、内装や外装を行うことができる。
更に、傾いた側の外部の対角にある隅柱の上部と他方対角隅柱の下部とをワイヤーロープや鉄筋でつなぎ、また、内部の天井裏や一階床との空間部分に通じた縦や斜めのワイヤーロープや鉄筋及び、隅柱上部と対角の床との間に斜め張りのワイヤーロープや鉄筋を張って緊張力を導入することにより、家屋の傾斜を直し、更に、天井裏の水平筋交いを緊張させることにより、三次元的な傾斜の修正を行うことができる。
【００１７】
【発明の実施の形態】
以下、この発明の実施の形態を図示例と共に説明する。
図１と図２は、この発明の耐震補強工法の概略的な説明図であり、図１は長方形の独立家屋を、図２は複合家屋の例を示している。
【００１８】
この発明の耐震補強工法の概要は、木造家屋Ａの外壁１の周囲において、四隅の隅柱２が位置する各コーナ部分にコーナ保護材を沿わせた後、その外側にコンクリート基礎から天井梁もしくは上階床梁を越える長さのアングル材１２を隅柱２の補強材として取り付け、外壁１の周囲で床下と二階梁下の天井裏の上下二箇所に、長い締め付け部材となる水平のフラットバー４やワイヤーロープ４１を樽のタガの如く巻き付け、このフラットバー４やワイヤーロープ４１をターンバックル機構５で引き締めて緊張力を導入すると共に、床下や天井裏の空間部分を利用して、隅柱２の対角柱間や中間柱２ａの対向間に、水平筋交い６や横引き材である横引き締め付け部材７で緊張力を与えることにより、外壁１を周囲から締め付けを強化し、内部から外部への膨張力を抑えることで、木造建築の耐震性を向上させるものである。
【００１９】
図３乃至図７は、上記締め付け部材に金属製のフラットバー１２を用いた耐震補強工法の具体的な実施の形態を示している。
一般に木造家屋Ａは、間や尺を基本にして建てられており、図面があっても外部からは目的とする柱や柱の中心並びに高さを知ることは困難である。
【００２０】
そこで、先ず、作業者が天井裏や床下の内部に入り、内部から目的の柱を見つけ、天井裏の位置と床下の上下二箇所の位置において、該当する柱から外壁１に、ドリルを用いて６ｍｍ位の案内孔を貫通するように穿設し、その後、図４に例示するように、この案内孔を外壁１の外部から使用せんとするボルトやワイヤーロープが挿通できる孔径に拡径する。上記した天井裏に入るときは、上部に平面のある上下調整可能な脚立等で天井を支えておき、作業者が天井を破損するようなことがないようにする。
【００２１】
次に、上記の孔８の上下左右の距離間隔を外壁１の外部から採寸し、工場又は現場にて、木造家屋Ａの外壁１の外面に沿わせる水平のフラットバー４に、孔８の配置間隔に適合する間隔でボルト孔９を加工したり、９０°の折り曲げ加工を施す。
【００２２】
また、外壁１の各隅柱２の部分に沿わせるコーナ保護材は、幅の広いゴム等の弾性プレート１０を用い、更に、薄鋼板のプレート１１を介入させて外壁１の損傷を防ぐようにし、図４のように、その外側に補強材として用いたアングル材１２を沿わせ、また、図５のように、中間柱２ａの外面に沿わせる補強材としてチャンネル材１３を用い、これらアングル材１２やチャンネル材１３には、隅柱２や中間柱２ａの上下位置の孔８に一致するボルト孔１４を加工しておくと共に、図３のように、アングル材１２やチャンネル材１３の下端を延ばして土台１５の横木に結合し、さらに、基礎コンクリート１６まで延ばし、アンカーにて固定する。
【００２３】
これらのボルト１７による結合は、図４に例示するように、外壁１の外面からボルト孔９や１４と隅柱２や中間柱２ａの孔８にボルト１７を挿通し、天井裏や床下の空間に入った作業者が隅柱２や中間柱２ａから突出するボルト１７にナット１８を螺合することによって行うものである。
【００２４】
上記フラットバー４は、各隅柱２間位い毎に分断された状態で外壁１の外周を囲むように配置し、フラットバー４が四隅の隅柱２のアングル材１２の外面に当たるところは直角に曲げ、アングル材１２及び隅柱２とフラットバー４の接するところはボルト１７で結合すると共に、外壁１を囲む各水平フラットバー４の隣接する端部をターンバックル機構５で互いに結合し、このターンバックル機構５を引き締めることによりフラットバー４に緊張力を導入し、外壁１を外部から締め付ける。
【００２５】
フラットバー４の端部間隔が広いときは、フラットバーやワイヤーロープを継ぎ足すようにすればよい。なお、四隅の隅柱２に挿入されたボルトは内側から締め付け、その際、隅柱２のコーナに外接する凹み座金１９を介して締め付ける。
【００２６】
図６は、フラットバー４のターンバックル機構５を示し、平面コ字状に形成したバックル本体２０の両端壁２１に、接続せんとするフラットバー４の端部に溶接したねじ軸２２の挿通孔２３を設け、挿通孔２３に挿入したねじ軸２２に対してナット２４を螺合して締め付けることで、フラットバー４に緊張を与える。
【００２７】
上記フラットバー４は、外壁１の外面に重なるような配置となるので、従来のような回転させて締め付けるターンバックルは使用出来ないが、上記したような構造のターンバックル機構５は、ナット２４を回転させるだけでバックル本体２０を回転させる必要がなく、フラットバー４の緊張導入が支障なく行えることになる。
【００２８】
このように、外壁１の各面毎にあるフラットバー４をターンバックル機構５でつないで緊張させることにより、フラットバー４が良く締まることになり、外壁１を外周から確実に巻き締めることができる
また、四隅の隅柱２の対角間は、天井裏や床下でワイヤーロープを用いた水平筋交い６で、対向する中間柱２ａ間は横引きワイヤーロープを用いた横引き締め付け部材７で、床下や天井裏の空間部分を利用してそれぞれ締め付けると共に、木造家屋Ａの内柱２ｂと横引き締め付け部材７の途中をロープ用キャッチング金具２５で結合し、内柱２ｂと外部中間柱２ａを結び、揺れに対応させることにより柱の自立性を高めるようにする。
なお、水平筋交い６や横引き締め付け部材７は、図示のようなワイヤーロープに代えて鉄筋を用いることができ、鉄筋の場合はターンバックルによる緊張力の導入と同時に軸方向の圧縮力に耐えることができるという利点がある。
【００２９】
従来、木造家屋の２階床や一階床の本来の木組み重心と家財家具による積載重心とは異なり、従って、地震時の上下左右の揺れを受けると、木組み重心と積載重心の位置差により家屋は右まわり或いは左まわりのねじれを繰り返して家屋木組みの破壊にいたることになるが、上記のように、ワイヤーロープや鉄筋を用いた対角水平の水平筋交い６で四隅の隅柱２を締め付けると共に、中間柱２ａ間を横引き締め付け部材７で締め付け、更に、上下段のフラットバー４間に縦の筋交い２６を設けることにより、三次元的に家屋のねじれ発生を小範囲に防止することができる。
【００３０】
上記水平筋交い６や横引き締め付け部材７にワイヤーロープを用いた場合、床下や天井裏への持ち込みが簡単に行えるという利点があり、図４や図５のように、隅柱２や中間柱２ａから内側に突出するボルト１７に中間ねじソケット２７を介してターンバックル２８に、ワイヤーの端部に設けたフックを結合して連結することにより、対角の隅柱２間は水平の筋交い６となし、対向する中間柱２ａ間は横引き締め付け部材７でフラットバー４を、外壁１の内側に引き寄せるようにする。
【００３１】
図５（Ｂ）と（Ｃ）は、内部柱２ｂに固定したワイヤーチャッキング２５を示し、内部柱２ｂに釘で固定する取り付け板２９の外面に固定され、金具３０の内部を横引き締め付け部材７が通過する平面略Ｕ字状となり、横引き締め付け部材７の挿通後に、下方にねじ部のある楔部材３１を圧入してナット３１ａねじ締めすることにより、ワイヤーチャッキング２５を介して横引き締め付け部材７の途中を内部柱２ｂに固定化すると共に、横引き締め付け部材７のワイヤーロープを屈曲させることにより、内部柱２ｂと中間柱２ａが固く連結されるようになっている。横引き締め付け部材７が鉄筋の場合、ワイヤーチャッキング２５に代えて、Ｕボルトのような鉄筋に対応した金具を用い、鉄筋を内部柱２ｂに固定化するようにすればよい。
【００３２】
図７は、下部のフラットバー４において、木造家屋Ａの外壁１部で玄関や台所の出入口に該当する部分を、出入口３２の下縁に沿うよう下側に屈曲させて、扉３３の開閉に対して邪魔にならないようにした段差用フラットバー４ａを示している。
【００３３】
前記木造家屋Ａの外壁１において、庭に面した大きな窓や出入り用の開放面のある部分は、四隅の隅柱２に取り付けたアングル材１２と中間柱２ａの外面に取り付けたチャンネル材１３の間で、窓や出入り用の開放面の上下左右部の外部位置にトラスを設けることにより、外壁１を補強することができ、また、四隅の隅柱２に取り付けたアングル材１２と中間柱２ａの外面に取り付けたチャンネル材１３を斜めの筋交い３４で結合し、外壁１を補強することもできる。筋交い力の少ない庭に面した幅の広い引き戸等のある空間の補強に適している。
【００３４】
フラットバー４を用いた耐震補強工法の実施の形態は、上記のような構成であり、木造家屋Ａの外壁１の周囲における各コーナ部分にコーナ保護材である弾性プレート１０と薄鋼板のプレート１１を沿わせた後、その外側にコンクリート基礎１６から天井梁もしくは上階床梁を越える長さのアングル材１２を隅柱２の補強材として取り付け、中間柱２ａの外面に該当する部分にもチャンネル材１３を同様の条件にして配置し、外壁１の周囲で圧縮反力の強い床下と二階梁下の天井裏の上下二箇所に、フラットバー４を樽のタガの如く巻き付けることで耐膨張力を付加し、このフラットバー４をターンバックル機構５で引き締めて緊張力を導入する。
また、フラットバー４の対向位置や対角位置を、床下や天井裏の空間部分を利用して水平筋交い６や横引き締め付け部材７で結合して緊張力を導入し、外壁１には、たての筋交いをなし、全周囲から家屋を締め上げる。
【００３５】
ここで、フラットバー４による外壁１の締め付けは、木造家屋Ａの木組みにおいて、横梁や床張りに対応する位置で外部から締め付けるので、内部から外部への力に強くなり、地震による横揺れや上下の揺れを受けて、それぞれの木組の部材に家具等の重量が加わってもバラバラに揺れるようなことがなくなり、柱と梁などの結合部が上下左右に抜けたり損傷することがなく、柱が折れたり柱が土台から抜けるというようなことがなくなり、木造家屋Ａの耐震性を大幅に向上させることができることになる。
【００３６】
次に、図８乃至図１０は、締め付け部材にワイヤーロープ４１を用いた耐震補強工法の実施の形態を示している。なお、上述したフラットバー４による耐震補強工法と同一部分には同一符号を付して説明に変える。
このワイヤーロープ４１を用いた耐震補強工法は、四隅の隅柱２の各コーナ部分のアングル材１２の外面に、図９で示すような、ワイヤーロープ４１の滑りをよくするワイヤーガイド４２を配置し、木造家屋Ａの外壁１の周囲で床下と二階梁下の天井裏の上下二箇所に、ワイヤーロープ４１を樽のタガの如く巻き付け、このワイヤーロープ４１の両端をターンバックル４３で引き寄せることで緊張力を導入すると共に、このワイヤーロープ４１の途中を床下や天井裏の空間部分で対向位置にある中間柱２ａ間に配置したワイヤーロープや鉄筋による横引き締め付け部材７で緊張させている。
【００３７】
また、中間柱２ａの外面に取り付けたチャンネル材１３とワイヤーロープ４１の結合は、図１０のように、チャンネル材１３と中間柱２ａから内側に突出するボルト１７の端部に環状部４５や引っかけ部を設け、ワイヤーロープ４１の途中をこの環状部４５に通し、ボルト１７を中間ねじソケット２７で横引き締め付け部材７のターンバックル２８と連結し、横引き締め付け部材７の緊張によるボルト１７の引っ張りでワイヤーロープ４１の途中をチャンネル材１３の溝内に引き込み、ワイヤーロープ４１に緊張力を与えるようにしている。
【００３８】
このワイヤーロープ４１を用いた耐震補強工法は、木造家屋Ａの外壁１の周囲に見合う長さのワイヤーロープ４１を外壁１に巻き付けて緊張させることにより、フラットバー４の場合と同様に木造家屋Ａの耐震性を大幅に向上させることができ、現場での施工性がフラットバーの場合よりも簡単に行えることになる。
【００３９】
なお、上記した実施の形態は、二階建ての家屋の場合を主として説明したが、三階建ての家屋にも適用することができる。
また、上部フラットバー４を巻く位置に下屋などがある時は、下屋の側部に孔をあけ、ワイヤーロープや鉄筋を通してフラットバー４と中継ぎをするようにすればよい。
【００４０】
また、新築木造家屋の施工に際し、木組が終われば、この木組に前記した耐震補強工法を施し、その後、内装や外装を行うことができる。
【００４１】
更に、傾斜家屋の修正を行うため、傾いた側の外部の対角にある隅柱の上部と他方対角隅柱の下部とをワイヤーロープや鉄筋でつなぎ、また、内部の天井裏や一階床との空間部分に通じた縦や斜めのワイヤーロープや鉄筋及び、隅柱上部と対角の床との間に斜め張りのワイヤーロープや鉄筋を張ってターンバックルで緊張力を導入することにより、家屋の傾斜を直し、更に、天井裏の水平筋交いを緊張させることにより、三次元的な傾斜の修正を行うこともできる。
【００４２】
【発明の効果】
以上のように、この発明によると、木造家屋の外壁部周囲を締め付け部材で樽のタガのように締め付け、締め付け部材の対向位置を横引きワイヤーロープで結合し、隅柱の対角方向には水平筋交いと外壁部には縦の筋交いを施すようにしたので、木造家屋の木組みにおいて、圧縮反力を高め、内部から外部への力に強くなり、地震による横揺れや上下の揺れを受けても一体として揺れ、それぞれの木組の部材に家具等の重量が加わってもバラバラに揺れるようなことがなくなり、家屋の分解をもたらす膨張を防ぎ、柱と梁などの結合部が上下左右に抜けたり損傷することがなく、木造家屋の耐震性を大幅に向上させることができ、既存の２〜３階の木造家屋だけでなく、連続長屋やマンション、上部荷重の重い神社仏閣の建物にも応用できる。
【００４３】
また、木造家屋の外壁部周囲を外部から締め付けるので、周壁を壊したり、家財道具を動かすような生活環境の変化を必要とすることなく、外部工事だけで木造家屋の耐震性を向上させることができ、更に、外部から見える柱の保護材やフラットバー、ワイヤーロープ、鉄筋は、予め亜鉛メッキ後、建物に似合った色彩とすることで、極めてメカニックで、かつ、安心感を与え、しかも短期間でコスト的にも安価に施工できる。
【００４４】
さらに、新築の木造家屋には、木組み時に全ての施工が行えるので、工事は容易であって、耐震構造は内外装によって隠れることになり、外観的に優れた状態で、従来にない極めて永年の使用に耐える強度を保つ木造家屋を構築することができる。
【００４５】
また、この発明の工法は、角や長方形の独立家屋だけでなく、それらが組み合わせられた複合家屋にも適用でき、相互間にわたる水平筋交いやフラットバー、また、横引きや縦の筋交いにより、相互の家屋の木組みがより堅固に結合される。
【図面の簡単な説明】
【図１】耐震補強工法を施した長方形の独立家屋の概略的な平面図
【図２】耐震補強工法を施した複合家屋の概略的な平面図
【図３】締め付け部材に金属製のフラットバーを用いた耐震補強工法の具体的な施工状態を示す斜視図
【図４】コーナ柱部分のフラットバーの固定構造を示す横断平面図
【図５】（Ａ）は中間柱部分のフラットバーの固定構造を示す横断平面図、（Ｂ）は中間柱と横引きワイヤーロープを結合するチャッキング金具の使用状態を示す斜視図、（Ｃ）は同楔部材の分解斜視図
【図６】ターンバックル機構の分解斜視図
【図７】出入口の下縁に沿うよう下側に屈曲させた段差用フラットバーの使用状態を示す正面図
【図８】締め付け部材にワイヤーロープを用いた耐震補強工法の具体的な施工状態を示す斜視図
【図９】同上におけるコーナ柱部分のワイヤーロープの固定構造を示す横断平面図
【図１０】同上における中間柱部分のワイヤーロープの固定構造を示す横断平面図
【符号の説明】
Ａ      木造家屋
１      外壁
２      隅柱
２ａ    中間柱
４      フラットバー
５      ターンバックル機構
６      水平筋交い
７      横引き締め付け部材
１０    弾性プレート
１１    プレート
１２    アングル材
１３    チャンネル材
１５    土台
１６    基礎コンクリート
１９    凹み座金
２０    バックル本体
２１    端壁
２２    ねじ軸
２３    挿通孔
２４    ナット
２５    ロープ用キャッチング金具
４１    ワイヤーロープ
【図１】
2004239038.tif 000003
【図２】
2004239038.tif 000004
【図３】
2004239038.tif 000005
【図４】
2004239038.tif 000006
【図５】
2004239038.tif 000007
【図６】
2004239038.tif 000008
【図７】
2004239038.tif 000009
【図８】
2004239038.tif 000010
【図９】
2004239038.tif 000011
【図１０】
2004239038.tif 000012